(57)【要約】【課題】イヤホーン用パッドを使用者の耳介内のサイズに合致するように弾性変位可能に構成する。【解決手段】再生音を放出するイヤホーン本体１１Ｌの前面側に柔軟性を有するイヤホーン用パッド１２Ｌを取り付けたイヤホーン１０Ｌにおいて、イヤホーン用パッド１２Ｌは、弾性変位可能なゴム材又は樹脂材を用いてキャップ状に形成され、且つ、外周部１２ｇの内側にリング状凹部１２ｈが周面に沿いながら前面１２ａ側に向かって凹ませてリング状に形成されることで、外周部１２ｇを使用者の耳介内のサイズに応じて径方向に弾性変位させることを特徴とするイヤホーン１０Ｌを提供する。【選択図】図２
2005130247.tif 000002
【特許請求の範囲】
【請求項１】
再生音を放出するイヤホーン本体の前面側に柔軟性を有するイヤホーン用パッドを取り付けたイヤホーンにおいて、
前記イヤホーン用パッドは、弾性変位可能なゴム材又は樹脂材を用いてキャップ状に形成され、且つ、外周部の内側にリング状凹部が周面に沿いながら前面側に向かって凹ませてリング状に形成されることで、前記外周部を使用者の耳介内のサイズに応じて径方向に弾性変位させることを特徴とするイヤホーン。
【請求項２】
請求項１記載のイヤホーンにおいて、
前記イヤホーン用パッドに形成した前記リング状凹部は、前記耳介内の上部及び下部に対応する部位の凹部深さが、前記耳介内の左側及び右側に対応する部位の凹部深さよりも浅く形成されていることを特徴とするイヤホーン。
【請求項３】
請求項１又は請求項２記載のイヤホーンにおいて、
前記イヤホーン用パッドの前面が所定の厚みに形成され、且つ、前記イヤホーン用パッドの前面の裏面と、この裏面に対向する前記イヤホーン本体の前面との間に所定の寸法の隙間が形成されていることを特徴とするイヤホーン。
【請求項４】
再生音を放出するイヤホーン本体の前面側を覆うように取り付けられ、柔軟性を有するゴム材又は樹脂材を用いて前記イヤホーン本体の前面と対向する前面が所定の厚みに形成されると共に、外周部が弾性変位可能に形成されたイヤホーン用パッドと、
前記イヤホーン本体の後面側を覆うように取り付けられ、且つ、前記イヤホーン本体の後面側から引き出されるワイヤを覆うようにワイヤカバー部が下方に向かって所定の長さで延出されて、柔軟性を有するゴム材又は樹脂材を用いて一体的に形成したハウジングカバーとを備えたことを特徴とするイヤホーン。
【請求項５】
請求項４記載のイヤホーンにおいて、
前記イヤホーン用パッドの前面の下方に円弧状凸部が該前面よりも所定の高さだけ突出され、且つ、前記円弧状凸部が前記ハウジングカバーの前記ワイヤカバー部に対して所定の角度傾けて配置されていることを特徴とするイヤホーン。
【発明の詳細な説明】
【技術分野】
【０００１】
本発明は、イヤホーン本体の前面側に柔軟性を有するイヤホーン用パッドを取り付けた際に、イヤホーン用パッドを使用者の耳介内のサイズに合致するように弾性変位可能に構成すると共に、使用者の耳介内にしっかりと固定できるイヤホーンに関するものである。
【背景技術】
【０００２】
従来、オーディオ機器や映像機器などから出力された再生音を、周囲の人に聞かせることなく使用者のみが聞くために、使用者の耳介内に装着される小型軽量なイヤホーンが多用されている。
【０００３】
この種のイヤホーンとして、イヤホーン本体の前面側に柔軟性のあるイヤホーン用パッドを取り付けて、耳介内で装着時の耳の痛みや不快感を無くし、且つ、耳介内での隙間を減らして周囲への音漏れの防止を図ったイヤホーン及びイヤホーン用パッドがある（例えば、特許文献１参照）。
【特許文献１】実公平６−３１８３４号公報（第２−４頁、図１及び図２）。
【０００４】
図１４は従来のイヤホーンを耳介内に装着した状態を示した縦断面図、
図１５は図１４に示したイヤホーン用パッドを示した縦断面図である。
【０００５】
図１４及び図１５に示した従来のイヤホーン及びイヤホーン用パッドは、上記した特許文献１（実公平６−３１８３４号公報）に開示されているものであり、ここでは特許文献１を参照して簡略に説明する。
【０００６】
図１４に示した如く、従来のイヤホーン１００は、使用者の耳介Ｅ内に嵌合装着し得る大きさに形成されているイヤホーン本体１１０と、柔軟性を有する合成樹脂発泡体を用いて形成されてイヤホーン本体１１０の前面側を覆うイヤホーン用パッド１２０と、イヤホーン本体１１０の背面側から引き出されたワイヤ１１７を覆うためにイヤホーン本体１１０の背面下方部位に取り付けたワイヤカバー１３０とで概略構成されている。
【０００７】
ここで、上記したイヤホーン本体１１０は、前面カバー１１１を有するハウジング１１２の内部に振動板１１３，ボイスコイル１１４，マグネット１１５，ヨーク１１６等によるスピーカー部（音響再生機構）が収納されている。
【０００８】
また、上記したイヤホーン用パッド１２０は、図１５にも示したように、柔軟性のある合成樹脂発泡体を用いて一体的に形成されおり、イヤホーン本体１１０の前面全体を覆う前面部１２１と、この前面部１２１の周囲に沿って高周波溶着されてイヤホーン本体１１０の背面側の一部を覆う背面リング部１２２とを備えており、イヤホーン用パッド１２０をイヤホーン本体１１０に取り付けた状態では、図１４に示したように背面リング部１２２が引き伸ばされてイヤホーン本体１１０の背面側の外周部に引っ掛けられていると共に、前面部１２１も引き伸ばされている。
【０００９】
そしてイヤホーン１００を耳介Ｅ内に装着した状態では、図１４に示したようにイヤホーン用パッド１２０の背面リング部１２２の張出部分１２２ａが耳介Ｅに当たり、これに伴って背面リング部１２２がハウジング１１２の背面外周部１１２ａ側にせり出され、これによりイヤホーン本体１１０の背面外周部の一部がイヤホーン用パッド１２０の背面リング部１２２により覆われて、イヤホーン本体１１０と耳介Ｅとの隙間が背面リング部１２２によって完全に塞がれるか、あるいはほぼ完全に塞がれるので、周囲への音漏れが図られている。
【発明の開示】
【発明が解決しようとする課題】
【００１０】
ところで、上記した従来のイヤホーン１００では、前述したように、イヤホーン本体１１０の前面側に柔軟性のあるイヤホーン用パッド１２０を取り付けることによって、耳介Ｅ内で装着時の耳の痛みや不快感を無くし、且つ、イヤホーン用パッド１２０の背面リング部１２２により耳介Ｅ内での隙間を減らして周囲への音漏れの防止を図ることができるものの、イヤホーン１００を耳介Ｅ内に装着した時の装着感がいまひとつ満たされないという問題点が生じるものと推測される。
【００１１】
即ち、耳介Ｅ内のサイズは人によって違いがあり、上記したイヤホーン本体１１０が使用者の耳介Ｅ内に嵌合装着し得る大きさに形成されているためにイヤホーン用パッド１２０で耳介Ｅ内のサイズに対応したサイズ変更が殆ど不可能であり、人によっては耳介Ｅ内のサイズに対応できないためにイヤホーン１００の装着が不安定となってしまう。
【００１２】
また、イヤホーン本体１１０の前面側にイヤホーン用パッド１２０を取り付けた場合に、イヤホーン用パッド１２０は柔軟性があるものの、耳介Ｅ内でイヤホーン用パッド１２０の位置が固定されず、これによりイヤホーン１００の耳介Ｅ内への装着向きが変動してしまう。
【００１３】
更に、ワイヤカバー１３０は、前述したように、イヤホーン本体１１０の背面下方に取り付けられているために、イヤホーン本体１１０の背面が一部露出しているので、外観的に不安定感がある。
【００１４】
そこで、柔軟性のあるイヤホーン用パッドをイヤホーン本体の前面側に取り付けた時に、使用者の耳介内のサイズに合致するようにイヤホーン用パッドが弾性変位でき、且つ、イヤホーンを耳介内で所定の向きに確実固定できると共に、外観的にも一体感のあるイヤホーンが望まれている。
【課題を解決するための手段】
【００１５】
本発明は上記課題に鑑みてなされたものであり、第１の発明は、再生音を放出するイヤホーン本体の前面側に柔軟性を有するイヤホーン用パッドを取り付けたイヤホーンにおいて、
前記イヤホーン用パッドは、弾性変位可能なゴム材又は樹脂材を用いてキャップ状に形成され、且つ、外周部の内側にリング状凹部が周面に沿いながら前面側に向かって凹ませてリング状に形成されることで、前記外周部を使用者の耳介内のサイズに応じて径方向に弾性変位させることを特徴とするイヤホーンである。
【００１６】
また、第２の発明は、上記した第１の発明のイヤホーンにおいて、
前記イヤホーン用パッドに形成した前記リング状凹部は、前記耳介内の上部及び下部に対応する部位の凹部深さが、前記耳介内の左側及び右側に対応する部位の凹部深さよりも浅く形成されていることを特徴とするイヤホーンである。
【００１７】
また、第３の発明は、上記した第１又は第２の発明のイヤホーンにおいて、
前記イヤホーン用パッドの前面が所定の厚みに形成され、且つ、前記イヤホーン用パッドの前面の裏面と、この裏面に対向する前記イヤホーン本体の前面との間に所定の寸法の隙間が形成されていることを特徴とするイヤホーンである。
【００１８】
また、第４の発明は、再生音を放出するイヤホーン本体の前面側を覆うように取り付けられ、柔軟性を有するゴム材又は樹脂材を用いて前記イヤホーン本体の前面と対向する前面が所定の厚みに形成されると共に、外周部が弾性変位可能に形成されたイヤホーン用パッドと、
前記イヤホーン本体の後面側を覆うように取り付けられ、且つ、前記イヤホーン本体の後面側から引き出されるワイヤを覆うようにワイヤカバー部が下方に向かって所定の長さで延出されて、柔軟性を有するゴム材又は樹脂材を用いて一体的に形成したハウジングカバーとを備えたことを特徴とするイヤホーンである。
【００１９】
更に、第５の発明は、上記した第４の発明のイヤホーンにおいて、
前記イヤホーン用パッドの前面の下方に円弧状凸部が該前面よりも所定の高さだけ突出され、且つ、前記円弧状凸部が前記ハウジングカバーの前記ワイヤカバー部に対して所定の角度傾けて配置されていることを特徴とするイヤホーンである。
【発明の効果】
【００２０】
本発明に係るイヤホーンにおいて、請求項１記載によると、とくに、イヤホーン用パッドの外周部の内側にリング状凹部が周面に沿いながら前面に向かって凹ませてリング状に形成されることで、外周部を使用者の耳介内のサイズに応じて径方向に弾性変位できるので、外周部が耳介内のサイズに合致し、これにより外部への音漏れを完全に防止することができる。勿論、イヤホーン用パッドは柔軟性があるので、耳介内で装着時の耳の痛みや不快感が無い。
【００２１】
また、請求項２記載によると、請求項１記載のイヤホーンにおいて、イヤホーン用パッドに形成したリング状凹部は、耳介内の上部及び下部に対応する部位の凹部深さが、耳介内の左側及び右側に対応する部位の凹部深さよりも浅く形成されているため、イヤホーン用パッドの上部リング状凹部と下部リング状凹部とに対応したシリコンゴムの各厚みが、左側リング状凹部及び右側リング状凹部に対応したシリコンゴムの各厚みより厚いので、イヤホーン用パッドは耳介内の上下方向に対してしっかりと固定できる。
【００２２】
また、請求項３記載によると、請求項１又は請求項２記載のイヤホーンにおいて、イヤホーン用パッドの前面が所定の厚みに形成され、且つ、イヤホーン用パッドの前面の裏面と、この裏面に対向するイヤホーン本体の前面との間に所定の寸法の隙間が形成されているために、イヤホーン用パッドの前面をイヤホーン本体の前面側に向かって弾性変位できるので、イヤホーン用パッドは径方向と奥行き方向とに弾性変位でき、イヤホーン用パッドは耳介内のサイズに対してより一層合致し易くなる。
【００２３】
また、請求項４記載によると、とくに、イヤホーン本体の前面側を覆うイヤホーン用パッドと、イヤホーン本体の後面側を覆うハウジングカバーとを共に柔軟性を有するゴム材又は樹脂材を用いて形成したため、感触の良いイヤホーンを提供できる。
【００２４】
更に、請求項５記載によると、請求項４記載のイヤホーンにおいて、イヤホーン用パッドの前面の下方に円弧状凸部が前面よりも所定の高さだけ突出され、且つ、円弧状凸部がハウジングカバーのワイヤカバー部に対して所定の角度傾けて配置されているため、ヘッドホーンを使用者の耳介内に装着した時に、イヤホーン用パッドの円弧状凸部が耳介内の下方部位に位置することで、ヘッドホーンが耳介内に確実に固定される。
【発明を実施するための最良の形態】
【００２５】
以下に本発明に係るイヤホーンの一実施例を図１乃至図１３を参照して、実施例１，実施例２の順に詳細に説明する。
【実施例１】
【００２６】
図１は本発明に係る実施例１のイヤホーン組立体を示した図、
図２（ａ）〜（ｃ）は本発明に係る実施例１のイヤホーンにおいて、左側のイヤホーンを示した後面図，縦断面図，正面図、
図３（ａ）〜（ｃ）は本発明に係る実施例１のイヤホーンにおいて、右側のイヤホーンを示した正面図，縦断面図，後面図、
図４（ａ）〜（ｄ）は本発明に係る実施例１のイヤホーンにおいて、イヤホーン用パッドを説明するための後面図，Ａ−Ａ’矢視断面図，正面図，Ｂ−Ｂ’矢視断面図、
図５（ａ）〜（ｄ）は本発明に係る実施例１のイヤホーンにおいて、ホーン状ハウジングを説明するための後面図，縦断面図、
図６（ａ），（ｂ）は本発明に係る実施例１のイヤホーンにおいて、グミ状化粧体を説明するための後面図，側面図、
図７（ａ）〜（ｄ）は本発明に係る実施例１のイヤホーンにおいて、ハウジングカバーを説明するための後面図，縦断面図，正面図，下面図、
図８（ａ），（ｂ）は左右の各耳介内でイヤホーン用パッドの円弧状凸部と、ハウジングカバーのワイヤカバー部との位置関係を模式的に示した図、
図９（ａ），（ｂ）は左右の各耳介内に左右一対のイヤホーンを装着した状態を模式的に示した図である。
【００２７】
図１に示した如く、本発明に係る実施例１において、イヤホーン組立体１では、使用者の左右の各耳介内に装着される左右一対のイヤホーン１０Ｌ，１０Ｒが左右対称に構成されており、且つ、左右一対のイヤホーン１０Ｌ，１０Ｒからそれぞれ引き出したワイヤ２Ｌ，２Ｒをワイヤクランプ３の近傍で合体させて、合体したワイヤ２Ｌ，２Ｒの先端に不図示のスレテオピンプラグを取り付けて、ステレオタイプに組み立てられている。
【００２８】
この際、左右一対のイヤホーン１０Ｌ，１０Ｒは、食用される植物の“グミ”が柔軟性を有していることから、この“グミ”の柔軟性がある点を取り入れて、後述するようにイヤホーン本体１１Ｌ，１１Ｒの各前面側を弾性変位可能なゴム材又は樹脂材を用いて柔軟性を有して形成したイヤホーン用パッド１２Ｌ，１２Ｒで覆うと共に、イヤホーン本体１１Ｌ，１１Ｒの各後面側も柔軟性を有するゴム材又は樹脂材を用いて形成したハウジングカバー１５Ｌ，１５Ｒで覆うことにより、“グミ型イヤホーン”と命名しているものである。
【００２９】
尚、この実施例１では、イヤホーン組立体１をステレオタイプに構成しているが、左耳専用又は、右耳専用のモノラルタイプでも使用可能である。
【００３０】
上記した左右一対のイヤホーン１０Ｌ，１０Ｒの構成について図２（ａ）〜（ｃ）及び図３（ａ）〜（ｃ）を用いて説明すると、左右一対のイヤホーン１０Ｌ，１０Ｒは、再生音を放出するイヤホーン本体１１Ｌ，１１Ｒと、柔軟性を有するゴム材又は樹脂材を用いて形成され、且つ、イヤホーン本体１１Ｌ，１１Ｒを内蔵しながらイヤホーン本体１１Ｌ，１１Ｒの各前面１１ａ，１１ａ側を覆うイヤホーン用パッド１２Ｌ，１２Ｒと、イヤホーン本体１１Ｌ，１１Ｒの各後面に半田付けしたワイヤ２Ｌ，２Ｒの半田付け部位をカバーする硬質なホーン状ハウジング１３Ｌ，１３Ｒと、下記するハウジングカバー１５Ｌ，１５Ｒの各後面側に形成した各楕円孔１５ｋ，１５ｋ内を臨むよう取り付けられると共に、ホーン状ハウジング１３Ｌ，１３Ｒの各後面にも取り付けらて柔軟性を有するグミ状化粧体１４Ｌ，１４Ｒと、柔軟性を有するゴム材又は樹脂材を用いて形成され、且つ、イヤホーン本体１１Ｌ，１１Ｒを内蔵したイヤホーン用パッド１２Ｌ，１２Ｒの各後面側に嵌合すると共に、ホーン状ハウジング１３Ｌ，１３Ｒ及びイヤホーン本体１１Ｌ，１１Ｒの各後面側から引き出されたワイヤ２Ｌ，２Ｒを覆うハウジングカバー１５Ｌ，１５Ｒとで構成されている。
【００３１】
この際、イヤホーン用パッド１２Ｌ，１２Ｒは、各前面１２ａ，１２ａの下方部位に所定の高さで円弧状に突出形成した円弧状凸部１２ｃ，１２ｃがハウジングカバー１５Ｌ，１５Ｒの下方部位から延出させたワイヤカバー部１５ｆ，１５ｆに対して左右対称に配置されており、左側の円弧状凸部１２ｃは図２（ｃ）に示したように左側のワイヤカバー部１５ｆに対してθ°として例えば略４０°程度反時計方向に傾けて配置され、一方、右側の円弧状凸部１２ｃは図３（ａ）に示したように右側のワイヤカバー部１５ｆに対してθ°として例えば略４０°程度時計方向に傾けて配置されている。そして、後述するように、ヘッドホーン１０Ｌ，１０Ｒを左右の耳介内に装着した時に、イヤホーン用パッド１２Ｌ，１２Ｒの円弧状凸部１２ｃ，１２ｃが左右の耳介内の下方部位に位置することで、ヘッドホーン１０Ｌ，１０Ｒが左右の耳介内に確実に固定されるようになっている。
【００３２】
ここで、左右一対のイヤホーン１０Ｌ，１０Ｒのうちで左側のイヤホーン１０Ｌの各構成部材についてより具体的に説明する。尚、左側に対して対称な右側のイヤホーン１０Ｒの説明は図示のみとして説明を省略する。
【００３３】
まず、左側のイヤホーン本体１１Ｌは、図２（ｂ），（ｃ）に示した如く、金属材を用いた外枠を段付き円筒状に形成した内部に、オーディオ機器や映像機器などから出力された再生音を放出するスピーカ部（図示せず）が内蔵されており、この前面１１ａに再生音放出用孔１１ｂが多数穿設されている。
【００３４】
次に、左側のイヤホーン用パッド１２Ｌは、図４（ａ）〜（ｄ）に示した如く、弾性変位可能でゴム硬度が４５°前後のシリコンゴムを用いて一体的にキャップ状に形成されており、イヤホーン本体１１Ｌの前面１１ａと対向する前面１２ａの中央部位にイヤホーン本体１１Ｌの前面１１ａに穿設した再生音放出用孔１１ｂ（図２）を臨ませるための前面側貫通孔１２ｂが穿設され、且つ、前面１２ａの所定の厚みＴ１は、例えば１ｍｍ程度に設定されている。
【００３５】
また、イヤホーン用パッド１２Ｌの前面１２ａの中央下方部位には、円弧状凸部１２ｃが前面より所定の高さＴ２だけ突出して円弧状に形成されており、この際、所定の高さＴ２は、例えば１．２５ｍｍ程度に設定されている。また、イヤホーン用パッド１２Ｌの前面１２ａの中央下方部位に突出形成した円弧状凸部１２ｃは、上部が前面側貫通孔１２ｂ内の下方に進入しており、この円弧状凸部１２ｃは図２（ｃ）に示したように後述する左側のハウジングカバー１５Ｌのワイヤカバー部１５ｆに対してθ°として例えば略４０°だけ反時計方向に傾いて配置されている。そして、イヤホーン用パッド１２Ｌの円弧状凸部１２ｃが左側の耳介内の下方部位に当接することで、後述するように左側の耳介内に装着したイヤホーン１０Ｌを耳介内に確実に固定する機能を備えている。
【００３６】
また、イヤホーン用パッド１２Ｌの前面１２ａと、イヤホーン用パッド１２Ｌの後面１２ｆとの間には、イヤホーン本体１１Ｌを内蔵するためにイヤホーン本体１１Ｌの外形に対して径寸法及び奥行き寸法が同じで円筒状のイヤホーン本体収納空間部１２ｄが前面１１ａの裏面に形成されていると共に、このイヤホーン本体収納空間部１２ｄの後方にイヤホーン本体収納空間部１２ｄの径寸法よりも一回り小径な後面側貫通孔１２ｅが形成されている。
【００３７】
また、イヤホーン用パッド１２Ｌの外周部１２ｇは、周面に沿って円弧状に形成されており、最大外周径φＤ３が弾性変位していない無負荷時にφ１６．５ｍｍ程度に設定されており、且つ、外周部１２ｇの奥行き寸法Ｔ３が４．２ｍｍ程度に設定されている。
【００３８】
また、イヤホーン用パッド１２Ｌの外周部１２ｇの内側には、リング状凹部１２ｈ（１２ｈ１〜１２ｈ４）が周面に沿いながら前面１２ａ側に向かって凹ませてリング状に形成されている。この際、リング状凹部１２ｈ（１２ｈ１〜１２ｈ４）は、内側径φＤ１がφ１２ｍｍ程度に設定され、且つ、外側径φＤ２がφ１４．５ｍｍ程度に設定されている。従って、イヤホーン用パッド１２Ｌの外周部１２ｇの内側にリング状凹部１２ｈ（１２ｈ１〜１２ｈ４）を形成することで、外周部１２ｇが使用者の耳介内のサイズに合致するように径方向に弾性変位し易くなり、外周部１２ｇの径はφ１６．５ｍｍ程度からφ１４ｍｍ程度の範囲内で弾性変位可能になる。
【００３９】
また、イヤホーン用パッド１２Ｌのリング状凹部１２ｈ（１２ｈ１〜１２ｈ４）は、耳介内の上部，下部，左側，右側にそれぞれ対応してが凹部深さを違えて形成されており、上部リング状凹部１２ｈ１及び下部リング状凹部１２ｈ２の各凹部深さＴ４は１．８ｍｍ程度に設定され、一方、左側リング状凹部１２ｈ３及び右側リング状凹部１２ｈ４の各凹部深さＴ６は２．９ｍｍ程度に設定されているので、耳介内の上部及び下部に対応する部位の凹部深さＴ４が耳介内の左側及び右側に対応する部位の凹部深さＴ６よりも浅く形成され、Ｔ４＜Ｔ６となっている。
【００４０】
上記により、イヤホーン用パッド１２Ｌは、上部リング状凹部１２ｈ１に対応したシリコンゴムの厚みがＴ３−Ｔ４＝４．２ｍｍ−１．８ｍｍ＝２．４ｍｍであり、また、下部リング状凹部１２ｈ２に対応したシリコンゴムの厚みはＴ５−Ｔ４＝（Ｔ２＋Ｔ３）−Ｔ４＝（１．２５ｍｍ＋４．２ｍｍ）−１．８ｍｍ＝３．６５であり、更に、左側リング状凹部１２ｈ３及び右側リング状凹部１２ｈ４に対応したシリコンゴムの各厚みはＴ３−Ｔ６＝４．２ｍｍ−２．９ｍｍ＝１．３ｍｍである。従って、イヤホーン用パッド１２Ｌの上部リング状凹部１２ｈ１と下部リング状凹部１２ｈ２とに対応したシリコンゴムの各厚みが、左側リング状凹部１２ｈ３及び右側リング状凹部１２ｈ４に対応したシリコンゴムの各厚みより厚いので、イヤホーン用パッド１２Ｌは耳介内の上下方向に対してしっかりと固定できる。
【００４１】
更に、イヤホーン用パッド１２Ｌの後面１２ｆには、後述するホーン状ハウジング１３Ｌに対して位置決めするための位置決め用凸部１２ｉが３箇所突出形成されている。
【００４２】
次に、図５（ａ），（ｂ）に示した如く、左側のホーン状ハウジング１３Ｌは、硬質な樹脂材を用いて前面１３ａ側の直径が後面１３ｄの直径よりも大きくホーン状に形成されており、前面１３ａ側の外周部１３ｂの後方に続いて鍔付き凹状外周部１３ｃが鍔よりも凹ませて形成されており、この鍔付き凹状外周部１３ｃは前記したイヤホーン用パッド１２Ｌの後面１２ｆ側に形成した後面側貫通孔１２ｅ（図４）内に嵌合してイヤホーン用パッド１２Ｌの前方への抜けを防止する機能を備えている。
【００４３】
また、ホーン状ハウジング１３Ｌは、前面１３ａ側から後面１３ｄ側に向かってホーン状孔１３ｅが内部に形成されており、このホーン状孔１３ｅはイヤホーン本体１１Ｌの後面に半田付けしたワイヤ２Ｌ（図２）の半田付け部位をカバーしている。
【００４４】
また、ホーン状ハウジング１３Ｌの後面１３ｄには、略中央部位で中心線から図示左側に僅かに偏った位置にグミ状化粧体１４Ｌ（図２）を取り付けるための丸孔１３ｆと角孔１３ｇとが貫通して穿設されていると共に、後面１３ｄの下方部位にイヤホーン本体１１Ｌの後面に半田付けしたワイヤ２Ｌ（図２）を通すための切り欠き１３ｈが形成されている。尚、ホーン状ハウジング１３Ｌの後面１３ｄの上方部位にも切り欠き１３ｈを形成しておけば、右側のホーン状ハウジング１３Ｒに共用できる。
【００４５】
次に、図６（ａ），（ｂ）に示した如く、左側のグミ状化粧体１４Ｌは、柔軟性を有するシリコンゴムを用いて植物の“グミ”に似せて“グミ”を半割りした形状にされている。このグミ状化粧体１４Ｌは、前面１４ａの略中央部位に軸部１４ｂが突出形成され、且つ、軸部１４ｂの先端に鍔部１４ｃが軸部１４ｂの径より一回り大きく形成されていると共に、前面１４ａの上下部位にフック部１４ｄ，１４ｅが突出形成されている。そして、グミ状化粧体１４Ｌの前面１４ａの略中央部位に形成した軸部１４ｂは、後述するハウジングカバー１５Ｌの円板部１５ｈに形成した丸孔１５ｉ（図７）を通った後にホーン状ハウジング１３Ｌの後面１３ｄに形成した丸孔１３ｆ（図５）に嵌合し、更に、鍔部１４ｃで丸孔１３ｆ（図５）内からの抜け防止が図られている。また、グミ状化粧体１４Ｌの前面１４ａの上下部位に形成したフック部１４ｄ，１４ｅは、後述するハウジングカバー１５Ｌの円板部１５ｈの上下部位に形成した角孔１５ｍ，１５ｎ内に進入して係止されている。また、グミ状化粧体１４Ｌの後面１４ｆは“グミ”を半割りした楕円形状に形成されて、ハウジングカバー１５Ｌの後方に形成した楕円孔１５ｋ（図２）内に臨むことで、外観的に“グミ”を表すことになる。
【００４６】
次に、図７（ａ）〜（ｄ）に示した如く、左側のハウジングカバー１５Ｌは、柔軟性を有し且つゴム硬度が４５°前後のシリコンゴムを用いてイヤホーン本体１１Ｌ（図２）の後面側を覆うように取り付けられ、且つ、イヤホーン本体１１の後面側から引き出されたワイヤ２Ｌ（図２）を覆うワイヤカバー部１５ｆが下方に向かって所定の長さ（例えば２２ｍｍ）で延出されている。この際、イヤホーン用パッド１２Ｌと、ハウジングカバー１５Ｌは、共に柔軟性のある同じ材質（例えばシリコンゴム）を用いることで、一体感のあるイヤホーン１０Ｌが得られる。
【００４７】
より具体的には、ハウジングカバー１５Ｌは、前面１５ａ側の先端外周部１５ｂに続いてこの外周部１５ｂより一回り大径な外周段部１５ｃが形成され、且つ、外周段部１５ｃに続いてテーパ凹状に凹ませたテーパ凹状外周部１５ｄが形成され、且つ、テーパ凹状外周部１５ｄに続いて略半球状の半球状外周部１５ｅが形成され、更に、前面１５ａ側から半球状外周部１５ｅ内に形成した円板部１５ｈに向かってホーン状孔１５ｇが内部に形成されていると共に、円板部１５ｈの後方に楕円孔１５ｋが形成されている。
【００４８】
この際、ハウジングカバー１５Ｌに形成したホーン状孔１５ｇは、先に説明したイヤホーン本体１１Ｌ（図２）の後面側に取り付けられるホーン状ハウジング１３Ｌ（図２，図５）を覆うためにホーン状ハウジング１３Ｌの外形寸法より一回り大きく形成されており、且つ、ホーン状孔１５ｇの前面側内径φＤ１が先に説明したイヤホーン用パッド１２Ｌのリング状凹部１２ｈの内側径φＤ１と同じくφ１２ｍｍ程度に設定され、更に、先端外周部１５ｂの外径φＤ２がイヤホーン用パッド１２Ｌのリング状凹部１２ｈの外側径φＤ２と同じくφ１４．５ｍｍ程度に設定されることで、先端外周部１５ｂがイヤホーン用パッド１２Ｌのリング状凹部１２ｈ内に嵌合できるようになっている。更に、ハウジングカバー１５Ｌに形成した先端外周部１５ｂの奥行き寸法は、イヤホーン用パッド１２Ｌの上部リング状凹部１２ｈ１及び下部リング状凹部１２ｈ２の各凹部深さＴ４（図４）の半分以下に設定されている。
【００４９】
また、ハウジングカバー１５Ｌの後方に形成した楕円孔１５ｋ内にグミ状化粧体１４Ｌの後面１４ｆ（図６）が臨めるようになっている。
【００５０】
また、イヤホーン用パッド１２Ｌの半球状外周部１５ｅ内に形成した円板部１５ｈには、略中央部位で中心線から図７（ａ）中で右側に僅かに偏った位置に丸孔１５ｉ，１５ｊが貫通して穿設され、且つ、上下部位に角孔１５ｍ，１５ｎが貫通して穿設されている。この際、イヤホーン用パッド１２Ｌの円板部１５ｈに穿設した丸孔１５ｉ内にグミ状化粧体１４Ｌの前面１４ａの略中央部位に形成した軸部１４ｂが挿通し、且つ、上下部位に穿設した角孔１５ｍ，１５ｎにグミ状化粧体１４Ｌの前面１４ａの上下部位に形成したフック部１４ｄ，１４ｅ（図６）が進入して係止されている。
【００５１】
更に、イヤホーン用パッド１２Ｌの半球状外周部１５ｅの下方部位から下方に向かって所定の長さ（例えば２２ｍｍ）でワイヤカバー部１５ｆが延出されており、このワイヤカバー部１５ｆにはホーン状孔１５ｇに貫通する貫通孔１５ｌが穿設されており、イヤホーン本体１１の後面に半田付けしたワイヤ２Ｌ（図２）がホーン状孔１５ｇ内から貫通孔１５ｌ内を通って外部に引き出されるようになっている。また、イヤホーン用パッド１２Ｌに形成したワイヤカバー部１５ｆは、イヤホーン１０Ｌを耳介に挿脱する時の把持機能も備えているものである。
【００５２】
そして、上記のように形成した各構成部材を用いて左側のイヤホーン１０Ｌを組み立てる場合について図２〜図７を併用して説明すると、イヤホーン本体１１Ｌをイヤホーン用パッド１２Ｌのイヤホーン本体収納空間部１２ｄ内に予め収納する。この際、イヤホーン用パッド１２Ｌのイヤホーン本体収納空間部１２ｄは、前述したように、イヤホーン本体１１Ｌと同じ外形サイズに形成されているためにイヤホーン用パッド１２Ｌの前面１２ａの裏面はイヤホーン本体１１Ｌの前面１１ａに当接しているので、イヤホーン用パッド１２Ｌの前面１２ａはイヤホーン本体１１Ｌの前面１１ａに向かって弾性変位できない状態である。
【００５３】
一方、ハウジングカバー１５Ｌの後方に形成した楕円孔１５ｋ内にグミ状化粧体１４Ｌを挿入し、このグミ状化粧体１４Ｌをハウジングカバー１５Ｌのホーン状孔１５ｇに対してフック部１４ｄ，１４ｅにより係止させると共に、グミ状化粧体１４Ｌをハウジングカバー１５Ｌの円板部１５ｈを介してホーン状孔１５ｇ内に挿入したホーン状ハウジング１３Ｌの後面１３ｄに軸部１４ｂ及び鍔部１４ｃにより係止させている。
【００５４】
この後、ハウジングカバー１５Ｌのワイヤカバー部１５ｆ内の貫通孔１５ｌに挿通したワイヤ２Ｌの一端をイヤホーン本体１１Ｌの後面に半田付けすると共に、ハウジングカバー１５Ｌのホーン状孔１５ｇ内に挿入したホーン状ハウジング１３Ｌの鍔付き凹状外周部１３ｃをイヤホーン本体１１Ｌを収納したイヤホーン用パッド１２Ｌの後面１２ｆ側に形成した後面側貫通孔１２ｅ内に嵌合させ、更に、ハウジングカバー１５Ｌの先端外周部１５ｂをイヤホーン用パッド１２Ｌの外周部１２ｇの内側に形成したリング状凹部１２ｈ内に嵌合させている。
【００５５】
ここで、前述したように、ハウジングカバー１５Ｌの先端外周部１５ｂの奥行き寸法が、イヤホーン用パッド１２Ｌの上部リング状凹部１２ｈ１及び下部リング状凹部１２ｈ２の各凹部深さＴ４（図４）の半分以下に設定されているために、図２（ｂ）に示したように、ハウジングカバー１５Ｌの先端外周部１５ｂをイヤホーン用パッド１２Ｌのリング状凹部１２ｈ内に嵌合させた時に、リング状凹部１２ｈ内には前面１２ａ側に向かって空間Ｋ１が形成されるため、イヤホーン用パッド１２Ｌの外周部１２ｇが空間Ｋ１によって径方向に弾性変位可能となり、これにより外周部１２ｇが使用者の耳介内のサイズに合致するように弾性変位できる。
【００５６】
そして、上記のように組み立てた左側のイヤホーン１０Ｌを使用者の左側の耳介内に装着する場合に、図８（ａ）に示したように、使用者の左側の耳介ＥＬに対して、Ｅ１を外耳孔，Ｅ２を耳珠，Ｅ３を対珠，Ｅ４を耳たぶと呼称すると、イヤホーン用パッド１２Ｌの前面１２ａの下方部位に円弧状に突出形成した円弧状凸部１２ｃが外耳孔Ｅ１に向かって挿入され、且つ、この円弧状凸部１２ｃが耳珠Ｅ３と対珠Ｅ３との間にしっかりと挟持されるので、イヤホーン用パッド１２Ｌが耳介ＥＬ内で上下方向に対して位置が固定され、更に、この円弧状凸部１２ｃに対してハウジングカバー１５Ｌのワイヤカバー部１５ｆがθ°＝略４０°図示右側に傾いた状態で耳介ＥＬ外に延出されているので、最終的には図９（ａ）に示したように左側のイヤホーン１０Ｌが左側の耳介ＥＬ内に確実に装着される。
【００５７】
そして、左側のイヤホーン１０Ｌが左側の耳介ＥＬ内に確実に装着された時に、イヤホーン用パッド１２Ｌの外周部１２ｇが使用者の耳介ＥＬ内のサイズに応じて弾性変位するので、外周部１２ｇが耳介ＥＬ内のサイズに合致し、これにより外部への音漏れを完全に防止することができる。勿論、イヤホーン用パッド１２Ｌは柔軟性があるので、耳介内で装着時の耳の痛みや不快感が無い。
【００５８】
更に、イヤホーン本体１１Ｌの前面側を覆うイヤホーン用パッド１２Ｌと、イヤホーン本体１１Ｌの後面側を覆うハウジングカバー１５Ｌとを共に柔軟性を有するゴム材（又は樹脂材）を用いて形成したため、感触の良いイヤホーン１０Ｌを提供できる。
【００５９】
尚、右側のイヤホーン１０Ｒは、左側のイヤホーン１０Ｌに対して対称に構成されているので、図８（ｂ）及び図９（ｂ）に示したように、右側のイヤホーン用パッド１２Ｒの前面１２ａの下方部位に形成した円弧状凸部１２ｃに対してハウジングカバー１５Ｒのワイヤカバー部１５ｆがθ°＝略４０°図示左側に傾いている点が異っているだけであるので、右側のイヤホーン１０Ｒも左側のイヤホーン１０Ｌと同じ効果が得られる。
【００６０】
次に、実施例１の左右一対のイヤホーン１０Ｌ，１０Ｒを一部変形させた変形例について、図１０（ａ），（ｂ）を用いて簡略に説明する。
【００６１】
図１０（ａ），（ｂ）は実施例１を一部変形させた変形例において、左右一対のイヤホーンを断面してそれぞれ示した縦断面図である。
【００６２】
図１０（ａ），（ｂ）に示した如く、実施例１を一部変形させた変形例において、左右一対のイヤホーン１０Ｌ’，１０Ｒ’は、イヤホーン用パッド１２Ｌ’，１２Ｒ’の形状が一部異なるだけであり、先に実施例１で示した各構成部材と同じ構成部材に対しては同一の符号を付し、ここでは異なる点についてのみ説明する。
【００６３】
即ち、イヤホーン用パッド１２Ｌ’，１２Ｒ’は、弾性変位可能でゴム硬度が４５°前後のシリコンゴムを用いて一体的にキャップ状に形成されている点は実施例１と同じであるものの、厚みが１ｍｍ程度に設定された各前面１２ａ’，１２ａ’の裏面側に形成されている円筒状のイヤホーン本体収納空間部１２ｄ’，１２ｄ’の奥行き寸法が実施例１よりも僅かに大きく形成されて、これらのイヤホーン本体収納空間部１２ｄ’，１２ｄ’内にイヤホーン本体１１Ｌ，１１Ｒが収納されている。
【００６４】
従って、イヤホーン用パッド１２Ｌ’，１２Ｒ’の各前面１２ａ’，１２ａ’の各裏面と、この各裏面と対向するイヤホーン本体１１Ｌ，１１Ｒの各前面１１ａ，１１ａとの間に各所定の寸法Ｘｍｍ，Ｘｍｍの隙間Ｓ，Ｓが形成されており、この際、所定の寸法Ｘｍｍ，Ｘｍｍはそれぞれ０．５ｍｍ程度に設定されている。これにより、イヤホーン用パッド１２Ｌ’，１２Ｒ’の各前面１２ａ’，１２ａ’がイヤホーン本体１１Ｌ，１１Ｒの各前面１１ａ，１１ａ側に向かって弾性変位可能になる。勿論、イヤホーン用パッド１２Ｌ’，１２Ｒ’の各外周部１２ｇ’，１２ｇ’は、実施例１で説明したと同様に、各外周部１２ｇ’，１２ｇ’の内側に形成した各リング状凹部１２ｈ’，１２ｈ’内に形成された空間Ｋ１によって径方向に弾性変位自在になっている。
【００６５】
上記により、イヤホーン用パッド１２Ｌ’，１２Ｒ’は径方向と奥行き方向とに対して弾性変位可能になるために、実施例１よりも各耳介内のサイズに良好に対応できることになる。
【実施例２】
【００６６】
図１１（ａ）〜（ｃ）は本発明に係る実施例２のイヤホーンにおいて、左側のイヤホーンを示した後面図，縦断面図，正面図、
図１２（ａ）〜（ｃ）は本発明に係る実施例２のイヤホーンにおいて、右側のイヤホーンを示した正面図，縦断面図，後面図である。
【００６７】
図１１及び図１２に示した本発明に係る実施例２のイヤホーン２０Ｌ，２０Ｒは、先に説明した実施例１のイヤホーン１０Ｌ，１０Ｒの構成と一部を除いて同様の構成であり、ここでは説明の便宜上、実施例１と同じ構成部材の符号に対して２０番台の符号を付して詳細な説明を省略し、且つ、実施例１と異なる点を中心にして説明する。
【００６８】
図１１及び図１２に示した如く、本発明に係る実施例２のイヤホーン２０Ｌ，２０Ｒもステレオタイプに組み立てられている。
【００６９】
ここでも、左右一対のイヤホーン２０Ｌ，２０Ｒは、食用される植物の“グミ”が柔軟性を有していることから、この“グミ”の柔軟性がある点を取り入れて、イヤホーン本体２１Ｌ，２１Ｒの各前面側を弾性変位可能なゴム材又は樹脂材を用いて柔軟性を有して形成したイヤホーン用パッド２２Ｌ，２２Ｒで覆うと共に、イヤホーン本体２１Ｌ，２１Ｒの各後面側も柔軟性を有するゴム材又は樹脂材を用いて形成したハウジングカバー２５Ｌ，２５Ｒで覆うことにより、“グミ型イヤホーン”と命名しているものである。
【００７０】
尚、この実施例２でも、ステレオタイプに構成しているが、左耳専用又は、右耳専用のモノラルタイプでも使用可能である。
【００７１】
上記した左右一対のイヤホーン２０Ｌ，２０Ｒの構成について図２（ａ）〜（ｃ）及び図３（ａ）〜（ｃ）を用いて説明すると、左右一対のイヤホーン２０Ｌ，２０Ｒは、再生音を放出するイヤホーン本体２１Ｌ，２１Ｒと、柔軟性を有するゴム材又は樹脂材を用いて形成され、且つ、イヤホーン本体２１Ｌ，２１Ｒを内蔵しながらイヤホーン本体２１Ｌ，２１Ｒの各前面２１ａ，２１ａ側を覆うイヤホーン用パッド２２Ｌ，２２Ｒと、イヤホーン本体２１Ｌ，２１Ｒの各後面に半田付けしたワイヤ２Ｌ，２Ｒの半田付け部位をカバーする硬質なホーン状ハウジング２３Ｌ，２３Ｒと、下記するハウジングカバー２５Ｌ，２５Ｒの各後面側に形成した各楕円孔２５ｋ，２５ｋ内を臨むよう取り付けられると共に、ホーン状ハウジング２３Ｌ，２３Ｒの各後面にも取り付けらて柔軟性を有するグミ状化粧体２４Ｌ，２４Ｒと、柔軟性を有するゴム材又は樹脂材を用いて形成され、且つ、イヤホーン本体２１Ｌ，２１Ｒを内蔵したイヤホーン用パッド２２Ｌ，２２Ｒの各後面側に嵌合すると共に、ホーン状ハウジング２３Ｌ，２３Ｒ及びイヤホーン本体２１Ｌ，２１Ｒの各後面側から引き出されたワイヤ２Ｌ，２Ｒを覆うハウジングカバー２５Ｌ，２５Ｒとで構成されている。
【００７２】
この際、イヤホーン用パッド２２Ｌ，２２Ｒは、各前面２２ａ，２２ａの下方部位に所定の高さで円弧状に突出形成した円弧状凸部２２ｃ，２２ｃがハウジングカバー２５Ｌ，２５Ｒの下方部位から延出させたワイヤカバー部２５ｆ，２５ｆに対して左右対称に配置されており、左側の円弧状凸部２２ｃは図１１（ｃ）に示したように左側のワイヤカバー部２５ｆに対してθ°として例えば略４０°程度反時計方向に傾けて配置され、一方、右側の円弧状凸部２２ｃは図１２（ａ）に示したように右側のワイヤカバー部２５ｆに対してθ°として例えば略４０°程度時計方向に傾けて配置されている。そして、ヘッドホーン２０Ｌ，２０Ｒを左右の耳介内に装着した時に、イヤホーン用パッド２２Ｌ，２２Ｒの円弧状凸部２２ｃ，２２ｃが左右の耳介内の下方部位に位置することでヘッドホーン２０Ｌ，２０Ｒが左右の耳介内で確実に固定されるようになっている。
【００７３】
ここで、左右一対のイヤホーン２０Ｌ，２０Ｒのうちで左側のイヤホーン２０Ｌに対して実施例１に対して異なる点を説明する。尚、左側に対して対称な右側のイヤホーン２０Ｒの説明は図示のみとして説明を省略する。
【００７４】
上記した左側のイヤホーン２０Ｌでは、図１１（ａ）〜（ｃ）に示した如く、イヤホーン本体２１Ｌの前面２１ａ側を覆うイヤホーン用パッド２２Ｌが弾性変位可能でゴム硬度が４５°前後のシリコンゴムを用いて一体的にキャップ状に形成されており、前面２１ａの裏面にイヤホーン本体２１Ｌを内蔵するためにイヤホーン本体２１Ｌの外形に対して径寸法及び奥行き寸法が同じで円筒状のイヤホーン本体収納空間部２２ｄが形成されている。  また、イヤホーン２０Ｌの外周部２２ｇの内側にリング状凹部２２ｈが周面に沿いながら前面２２ａ側に向かって凹ませてリング状に形成されている。
【００７５】
この際、イヤホーン２０Ｌの外周部２２ｇは、周面に沿って円弧状に形成されており、最大外周径φｄ４が弾性変位していない無負荷時にφ１６．５ｍｍ程度に設定されており、且つ、外周部１２ｇの奥行き寸法は実施例１と同様に５．８ｍｍ程度に設定されている。更に、イヤホーン２０Ｌのリング状凹部２２ｈは、内側径φｄ１がφ１２ｍｍ程度に設定され、且つ、外側径φｄ３がφ１５ｍｍ程度に設定されている。
【００７６】
次に、左側のハウジングカバー２５Ｌは、実施例１と同様に、柔軟性を有し且つゴム硬度が４５°前後のシリコンゴムを用いてイヤホーン本体２１Ｌの後面側を覆うように取り付けられ、且つ、イヤホーン本体２１の後面側から引き出されたワイヤ２Ｌを覆うワイヤカバー部２５ｆが下方に向かって実施例１と同じ長さ（例えば２２ｍｍ）で延出されている。
【００７７】
このハウジングカバー２５Ｌは、先端外周部２５ｂの外径φｄ２が実施例１よりも細径に形成されており、イヤホーン用パッド２２Ｌのリング状凹部２２ｈの外側径φｄ３＝１５ｍｍより細くφ１３．５ｍｍ程度に設定されることで、リング状凹部２２ｈ内でイヤホーン２０Ｌの外周部２２ｇとハウジングカバー２５Ｌの先端外周部２５ｂとの間に空間Ｋ２が新たに形成される。この際、ハウジングカバー２５Ｌの先端外周部２５ｂの奥行き寸法は、実施例１と同様に、イヤホーン用パッド２２Ｌのリング状凹部２２ｈの凹部深さの半分以下に設定されているので、ハウジングカバー２５Ｌの先端外周部２５ｂをイヤホーン用パッド２２Ｌのリング状凹部２２ｈ内に挿入した時に、リング状凹部２２ｈ内には前方に向かって空間Ｋ１が形成されている。
【００７８】
そして、イヤホーン用パッド２２Ｌのリング状凹部２２ｈ内に前記した空間Ｋ１と新たに形成された空間Ｋ２とにより、イヤホーン用パッド２２Ｌの外周部２２ｇが実施例１よりも径方向により一層弾性変位し易くなり、これにより外周部２２ｇが使用者の耳介内のサイズにより一層合致するように弾性変位できる。
【００７９】
次に、実施例２の左右一対のイヤホーン２０Ｌ，２０Ｒを一部変形させた変形例について、図１３（ａ），（ｂ）を用いて簡略に説明する。
【００８０】
図１３（ａ），（ｂ）は実施例２を一部変形させた変形例において、左右一対のイヤホーンを断面してそれぞれ示した縦断面図である。
【００８１】
図１３（ａ），（ｂ）に示した如く、実施例２を一部変形させた変形例において、左右一対のイヤホーン２０Ｌ’，２０Ｒ’は、イヤホーン用パッド２２Ｌ’，２２Ｒ’の形状が一部異なるだけであり、先に実施例２で示した各構成部材と同じ構成部材に対しては同一の符号を付し、ここでは異なる点についてのみ説明する。
【００８２】
即ち、イヤホーン用パッド２２Ｌ’，２２Ｒ’は、弾性変位可能でゴム硬度が４５°前後のシリコンゴムを用いて一体的にキャップ状に形成されている点は実施例２と同じであるものの、厚みが１ｍｍ程度に設定された各前面２２ａ’，２２ａ’の裏面側に形成されている円筒状のイヤホーン本体収納空間部２２ｄ’，２２ｄ’の奥行き寸法が実施例２よりも僅かに大きく形成されて、これらのイヤホーン本体収納空間部２２ｄ’，２２ｄ’内にイヤホーン本体２１Ｌ，２１Ｒが収納されている。
【００８３】
従って、イヤホーン用パッド２２Ｌ’，２２Ｒ’の各前面２２ａ’，２２ａ’の各裏面と、この各裏面と対向するイヤホーン本体２１Ｌ，２１Ｒの各前面２１ａ，２１ａとの間に各所定の寸法Ｘｍｍ，Ｘｍｍの隙間Ｓ，Ｓが形成されており、この際、所定の寸法Ｘｍｍ，Ｘｍｍはそれぞれ０．５ｍｍ程度に設定されている。これにより、イヤホーン用パッド２２Ｌ’，２２Ｒ’の各前面２２ａ’，２２ａ’がイヤホーン本体２１Ｌ，２１Ｒの各前面２１ａ，２１ａ側に向かって弾性変位可能になる。勿論、イヤホーン用パッド２２Ｌ’，２２Ｒ’の各外周部２２ｇ’，２２ｇ’は、実施例２で説明したと同様に、各外周部２２ｇ’，２２ｇ’の内側に形成した各リング状凹部２２ｈ’，２２ｈ’内に形成された空間Ｋ１，Ｋ２によって径方向に弾性変位自在になっている。
【００８４】
上記により、イヤホーン用パッド２２Ｌ’，２２Ｒ’は径方向と奥行き方向とに対して弾性変位可能になるために、実施例１，実施例２よりも各耳介内のサイズに良好に対応できることになる。
【図面の簡単な説明】
【００８５】
【図１】本発明に係る実施例１のイヤホーン組立体を示した図である。
【図２】（ａ）〜（ｃ）は本発明に係る実施例１のイヤホーンにおいて、左側のイヤホーンを示した後面図，縦断面図，正面図である。
【図３】（ａ）〜（ｃ）は本発明に係る実施例１のイヤホーンにおいて、右側のイヤホーンを示した正面図，縦断面図，後面図である。
【図４】（ａ）〜（ｄ）は本発明に係る実施例１のイヤホーンにおいて、イヤホーン用パッドを説明するための後面図，Ａ−Ａ’矢視断面図，正面図，Ｂ−Ｂ’矢視断面図である。
【図５】（ａ）〜（ｄ）は本発明に係る実施例１のイヤホーンにおいて、ホーン状ハウジングを説明するための後面図，縦断面図である。
【図６】（ａ），（ｂ）は本発明に係る実施例１のイヤホーンにおいて、グミ状化粧体を説明するための後面図，側面図である。
【図７】（ａ）〜（ｄ）は本発明に係る実施例１のイヤホーンにおいて、ハウジングカバーを説明するための後面図，縦断面図，正面図，下面図である。
【図８】（ａ），（ｂ）は左右の各耳介内でイヤホーン用パッドの円弧状凸部と、ハウジングカバーのワイヤカバー部との位置関係を模式的に示した図である。
【図９】（ａ），（ｂ）は左右の各耳介内に左右一対のイヤホーンを装着した状態を模式的に示した図である。
【図１０】（ａ），（ｂ）は実施例１を一部変形させた変形例において、左右一対のイヤホーンを断面してそれぞれ示した縦断面図である。
【図１１】（ａ）〜（ｃ）は本発明に係る実施例２のイヤホーンにおいて、左側のイヤホーンを示した後面図，縦断面図，正面図である。
【図１２】（ａ）〜（ｃ）は本発明に係る実施例２のイヤホーンにおいて、右側のイヤホーンを示した正面図，縦断面図，後面図である。
【図１３】（ａ），（ｂ）は実施例２を一部変形させた変形例において、左右一対のイヤホーンを断面してそれぞれ示した縦断面図である。
【図１４】従来のイヤホーンを耳介内に装着した状態を示した縦断面図である。
【図１５】図１４に示したイヤホーン用パッドを示した縦断面図である。
【符号の説明】
【００８６】
１…イヤホーン組立体、２Ｌ，２Ｒ…ワイヤ、
１０Ｌ，１０Ｒ…実施例１のイヤホーン、
１１Ｌ，１１Ｒ…イヤホーン本体、１１ａ…前面、１１ｂ…再生音放出用孔、
１２Ｌ，１２Ｒ…イヤホーン用パッド、１２ａ……前面、１２ｂ…前面側貫通孔、
１２ｃ…円弧状凸部、１２ｄ…イヤホーン本体収納空間部、１２ｅ…後面側貫通孔、
１２ｆ…後面、１２ｇ…外周部、
１２ｈ…リング状凹部、１２ｈ１…上部リング状凹部、１２ｈ２…下部リング状凹部、  １２ｈ３…左側リング状凹部、１２ｈ４…右側リング状凹部、
１３Ｌ，１３Ｒ…ホーン状ハウジング、１３ｅ…ホーン状孔、
１４Ｌ，１４Ｒ…グミ状化粧体、
１５Ｌ，１５Ｒ…ハウジングカバー、１５ａ…前面、１５ｂ…先端外周部、
１５ｃ…外周段部、１５ｄ…テーパ凹状外周部、１５ｅ…半球状外周部、
１５ｆ…ワイヤカバー部、１５ｇ…ホーン状孔、１５ｈ…円板部、
１５ｋ…楕円孔、
１０Ｌ’，１０Ｒ’…実施例１を一部変形させた変形例のイヤホーン、
１２Ｌ’，１２Ｒ’…イヤホーン用パッド、
２０Ｌ，２０Ｒ…実施例２のイヤホーン、
２１Ｌ，２１Ｒ…イヤホーン本体、
２２Ｌ，２２Ｒ…イヤホーン用パッド、
２２ｃ…円弧状凸部、２２ｄ…イヤホーン本体収納空間部、２２ｇ…外周部、
２２ｈ…リング状凹部、
２３Ｌ，２３Ｒ…ホーン状ハウジング、
２４Ｌ，２４Ｒ…グミ状化粧体、
２５Ｌ，２５Ｒ…ハウジングカバー、２５ｂ…先端外周部、
２０Ｌ’，２０Ｒ’…実施例２を一部変形させた変形例のイヤホーン、
２２Ｌ’，２２Ｒ’…イヤホーン用パッド、
Ｔ４…上部リング状凹部１２ｈ１及び下部リング状凹部１２ｈ２の各凹部深さ、
Ｔ６…左側リング状凹部１２ｈ３及び右側リング状凹部１２ｈ４の各凹部深さ、
Ｓ…隙間。
【図１】
2005130247.tif 000003
【図２】
2005130247.tif 000004
【図３】
2005130247.tif 000005
【図４】
2005130247.tif 000006
【図５】
2005130247.tif 000007
【図６】
2005130247.tif 000008
【図７】
2005130247.tif 000009
【図８】
2005130247.tif 000010
【図９】
2005130247.tif 000011
【図１０】
2005130247.tif 000012
【図１１】
2005130247.tif 000013
【図１２】
2005130247.tif 000014
【図１３】
2005130247.tif 000015
【図１４】
2005130247.tif 000016
【図１５】
2005130247.tif 000017